(57)【要約】　　　（修正有）【課題】空気を含んで嵩張っている物品を、形体を保てる容器と合成樹脂のシートで形成された変形自在な筒体または袋体とでなる圧縮収納体の内部で効率よく圧縮し、圧縮した物品をその容器に効率よく過不足なく収納し、長期間保存することができ、狭い場所への嵩張っている物品の収納効率を高めることができる圧縮収納箱を提供する。【解決手段】合成樹脂のシートで形成された変形自在な筒体又は袋体と、蓋を備えた収納物品の形状を保てる容器とを組み合わせてなる物品を圧縮する圧縮収納体を形成する。圧縮収納体の容器の側壁の部位に空気を吸出す機構を設け圧縮収納体の内部を効果的に減圧できるようにする。減圧に伴い収納された物品は効果的に圧縮され容器の中に納まる。蓋を容器に固定して圧縮した物品を保存する。【選択図】　図２
2004123228.tif 000002
【特許請求の範囲】
【請求項１】
開口部に蓋を備えた収納物品の形状を保てる容器と、一端が開口部、他端が開閉自在な密閉具を設けた物品収納口となっており、かつ合成樹脂のシートで形成された変形自在な筒体とからなり、前記筒体は、その開口部を前記容器の開口部に気密性よく接着し、前記容器の側壁に空気吸出し口を設けたことを特徴とする圧縮収納箱。
【請求項２】
前記容器の内底部と収納物品との間に空気の流れる空間を形成するセパレーターを備えていることを特徴とする請求項１記載の圧縮収納箱。
【請求項３】
開口部に蓋を備えた収納物品の形状を保てる容器と、上端部が開閉自在な密閉具を設けた物品収納口となっており、かつ合成樹脂のシートで形成された変形自在な袋体とからなり、前記袋体は、その物品収納口を上にして前記容器内へ収納した状態において、その下端部に容器の側壁を貫通して外に通じる空気吸出し口を設けたことを特徴とする圧縮収納箱。
【請求項４】
前記袋体の下端部が容器内底面の形状に近い形状となっていることを特徴とする請求項３記載の圧縮収納箱。
【請求項５】
前記容器が組み立て式のものであることを特徴とする請求項１、２、３又は４記載の圧縮収納箱。
【請求項６】
前記容器が箪笥や収納ラックの引き出しであることを特徴とする請求項１、２、３、４又は５記載の圧縮収納箱。
【発明の詳細な説明】
【０００１】
【発明の属する技術分野】
空気を含んで嵩張っている物品を、形体を保てる容器と合成樹脂のシートで形成された変形自在な筒体又は袋体とでなる圧縮収納体の内部で効率良く圧縮し、圧縮した物品をその容器に収納効率良く過不足なく収納し、長期間保存することができ、狭い場所への嵩張っている物品の収納効率を高めることができる圧縮収納箱に関するものである
【０００２】
【従来の技術】
従来より、空気を含んで嵩張っている物品を圧縮、保存する手段として、合成樹脂のシートで形成された変形自在な扁平な袋体のケースが用いられていて、袋体内で圧縮された物品の形状はさまざまで、又、物品は硬く収縮しているため形状を保てる容器に収納効率良く収納することができなかった。そのため、嵩張った物品を、狭い場所へ収納効率良く収納することが困難で、又、箪笥や収納ラックの引き出しも有効に利用できず、問題が多かった。
【０００３】
【発明が解決しようとする課題】
本発明は、上記の問題を解決するためになされたもので、空気を含んで嵩張っている物品を、形体を保てる容器と合成樹脂のシートで形成された変形自在な筒体又は袋体とでなる圧縮収納体の内部で効率よく圧縮し、圧縮した物品をその容器に収納効率良く過不足なく収納し、長期間保存することができ、狭い場所への嵩張っている物品の収納効率を高めることができる圧縮収納箱を提供する事を課題とする。
【０００４】
【課題を解決するための手段】
この発明が提供する圧縮収納箱は次の（１）〜（６）記載のものである。
【０００５】
（１）開口部に蓋を備えた収納物品の形状を保てる容器と、一端が開口部、他端が開閉自在な密閉具を設けた物品収納口となっており、かつ合成樹脂のシートで形成された変形自在な筒体とからなり、前記筒体は、その開口部を前記容器の開口部に気密性よく接着し、前記容器の側壁に空気吸出し口を設けた圧縮収納箱（以下、第１の圧縮収納箱という。）。
【０００６】
（２）第１の圧縮収納箱の容器の内底部と収納物品との間に空気の流れる空間を形成するセパレーターを備えている圧縮収納箱（以下、第２の圧縮収納箱という。）。
【０００７】
（３）開口部に蓋を備えた収納物品の形状を保てる容器と、上端部が開閉自在な密閉具を設けた物品収納口となっており、かつ合成樹脂のシートで形成された変形自在な袋体とからなり、前記袋体は、その物品収納口を上にして前記容器内へ収納した状態において、その下端部に容器の側壁を貫通して外に通じる空気吸出し口を設けた圧縮収納箱（以下、第３の圧縮収納箱という。）。
【０００８】
（４）第３の圧縮収納箱の袋体の下端部が容器内底面の形状に近い形状となっている圧縮収納箱（以下、第４の圧縮収納箱という。）。
【０００９】
（５）第１、２、３又は４の圧縮収納箱の容器が組み立て式のものである圧縮収納箱（以下、第５の圧縮収納箱という。）。
【００１０】
（６）第１、２、３又は４の圧縮収納箱が箪笥や収納ラックの引き出しである圧縮収納箱（以下、第６の圧縮収納箱という。）。
【００１１】
【発明の実施の形態】
実施の形態を実施例１〜３によって図面を参照しながら説明する。
【００１２】
（実施例１）
図１は圧縮収納箱の斜視図である。
図２は図１で図示した圧縮収納箱の分解斜視図である。
図３は図１の圧縮収納箱に使用するセパレーターの斜視図である。
以下、図１〜３を参照しながら実施例１の圧縮収納箱の構成を説明する。
【００１３】
１は収納物品の形状を保てる容器として合成樹脂で成型された箱である。１は箱開口部２を有している。箱開口部２の大きさは縦は約６０ｃｍ、横は約７０ｃｍである。１の深さは約４０ｃｍ。１は底面部１６より箱開口部２にかけてやや開いた形状で空箱の時の積層を容易としている。１の容積は掛け布団２〜３枚程度の収納を想定したものである。１の側壁の下端部には空気吸出し口７を備えている。空気吸出し口７の大きさは縦が約１．５ｃｍ、横が約３ｃｍで家庭用掃除機の空気吸出しノズルを挿入できる大きさである。空気吸出し口７を密閉する栓１１を備えている。蓋３を固定する止め具９を備えている。
【００１４】
３は合成樹脂で成型された箱開口部２の蓋である。３の大きさは箱開口部２を完全に被覆できる大きさで縦は約６０ｃｍ、横は約７０ｃｍである。３の面は布団を閉じ込めやすくするため凹状を形成し、その凹状の深さは約２．５ｃｍである。箱１に備えられた止め具９を受ける止め具受け１０を備えている。
【００１５】
４は下端部が筒体開口部５で、上端部が開閉自在な密閉具であるファスナーで開閉する物品収納口６とでなっている合成樹脂のシートで形成された変形自在な筒体である。大きさと形状は箱１を２個積み重ねた程度で縦は約６０ｃｍ、横は約７０ｃｍ、高さは約８０ｃｍである。
【００１６】
８は筒体４の筒体開口部５を箱１の箱開口部２に気密性良く接着して形成した圧縮収納体である。
【００１７】
１２は合成樹脂で成型された空気流通口１４を備えた板体１３にスペーサー１５を取り付けてなるセパレーターである。箱１内部の空気を流通させるためのもので、厚さ０．５ｃｍの合成樹脂の板体１３に空気流通穴１４を設け、厚さ０，５ｃｍ程の角棒状のスペーサー１５を取り付けたものである。板体１３は箱１の底面部１６に近い形状である。
【００１８】
実施例１の圧縮収納箱はスペーサー１２を箱１の内部底面に設置した圧縮収納体８と蓋３とで構成される。
【００１９】
図４は圧縮収納箱で布団が圧縮収納体の中に収納された状態を示す断面図である。
図５は圧縮収納箱に布団を圧縮収納した状態を示す断面図である。
以下、図４〜５を参照しながら実施例１の使い方を説明する。
【００２０】
セパレーター１２を箱１の内部底面に設置する。物品収納口６を開き布団を圧縮収納体８の中に収納する。布団が収納されたら物品収納口６をファスナーで閉じ圧縮収納体８を密閉する。次に、空気吸出し口７に家庭用掃除機の吸い込みノズルを挿し込み圧縮収納体８の内部の空気を吸出し減圧する。　圧縮収納体８の内部の減圧に伴い圧縮収納体８の内部に収納された布団は圧縮され箱１の中に納まる。空気吸出し口７から掃除機の吸い込みノズルを外し、空気吸出し口７を栓１１で密閉する。
【００２１】
圧縮された布団が収納された箱１の箱開口部２を蓋３で被覆し、箱１に設けられた止め具９を蓋３に設けられた止め具受け１０に繋架し、蓋３を箱１に固定し圧縮した布団を閉じ込め、図５に示す圧縮収納状態を得る。
【００２２】
実施例１において、箱１の側壁及び底面部を凹凸状又は波状にすることができる。
【００２３】
（実施例２）
図６は圧縮収納箱の一部縦断側面図である。
図７は図６で示した圧縮収納箱の分解斜視図である。
以下、図６〜７を参照しながら実施例２の圧縮収納箱の構成を説明する。
【００２４】
１７は収納物品の形状を保てる容器として組み立て式に形成されたダンボール箱である。１７は開口部１８を有している。開口部１８の大きさは縦が約３５ｃｍ、横が約４５ｃｍである。１７の深さは約３５ｃｍ。１７の容積はセーター類の収納を想定したものである。開口部１８を被覆する蓋として、４つの切片からなる蓋切片１９を備えている。側壁に袋体２０の空気吸出し口２２を外部に通させる貫通穴２５を設けている。
【００２５】
２０は合成樹脂のシートで形成された変形自在な袋体である。上端部は開閉自在な密閉具であるファスナーで開閉する物品収納口２１となっており、下端部はダンボール箱内底面の形状に近い合成樹脂の袋板体２４で形成されていて、且つ空気吸出し口２２が設けられている。大きさはダンボール箱１７を２個積み重ねた程度で縦が約３５ｃｍ、横が約４５ｃｍ、高さは約８０ｃｍである。２０を物品収納口２１を上にしてダンボール箱１７内に収納した状態において空気吸出し口２２をダンボール箱１７の側壁下端部に設けられた貫通穴２５を通して外部に突き出すことができる。空気吸出し口２２を密閉する栓２３を備えている。
【００２６】
実施例２の圧縮収納箱は、図７表示の袋体２０を図７表示のダンボール箱１７に挿入し、袋体２０の空気吸出し口２３をダンボール箱１７の貫通穴２５を通して外部に突き出して構成される。
【００２７】
実施例２の使い方を図６，７を参照しながら説明する。
【００２８】
図６の状態において、物品収納口２１を開き袋体２０の内部に嵩張ったセーター類を収納する。収納し終わったら物品収納口２１をファスナーで閉じ袋体２０を密閉する。ダンボール箱１７の側壁に設けられた貫通穴２５を通して外部に突き出した袋体２０に設けられた空気吸出し口２２に家庭用掃除機の吸い込みノズルを挿し込み袋体２０内の空気を吸出し減圧する。減圧に伴い袋体２０内部に収納されたセーター類は圧縮されダンボール箱１７の中に納まる。空気吸出し口２２から掃除機の吸い込みノズルを外し、空気吸出し口２２を栓２３で密閉する。
【００２９】
次に、４つの蓋切片１９でダンボール箱１７の開口部１８を被覆し固定する。４つの蓋切片１９を固定する手段として、ガムテープで接着するか、再使用可能な簡易ベルトで締めるか、又は両方の手段を併用する。
【００３０】
（実施例３）
図８は圧縮収納箱の分解斜視図である。
図９は圧縮収納箱の斜視図である。
以下、図８，９を参照しながら実施例３の構成を説明する。
【００３１】
２７は収納物品の形状を保てる容器である箪笥の引き出しである。引き出し開口部２８の大きさは幅が約８５ｃｍ、奥行きが約５０ｃｍ、深さが約２０ｃｍである。側壁に貫通穴２９、内面部に溝３０と蓋止め具３１を設けている。
３２は合成樹脂のシートで形成された変形自在な袋体である。上端部が開閉自在な密閉具であるファスナーで開閉する物品収納口３３で、下端部が箪笥の引き出し２７内底面の形状に近い合成樹脂の袋板体３４で形成されていて、且つ空気吸出し口３５が設けられている。
【００３２】
３７は箪笥の引き出し２７の引き出し開口部２８を被覆する、合成樹脂で成型された引き出し蓋である。
【００３３】
実施例３の圧縮収納箱は、図８表示の袋体３２を箪笥の引き出し２７に挿入し、袋体３２の空気吸出し口３５を箪笥の引き出し２７の貫通穴２９を通して外部に突き出して構成される圧縮収納体２６に引き出し蓋３７を備えて構成される。
【００３４】
図１０は圧縮収納箱にセーター類を圧縮収納した状態を示す断面図である。
実施例３の使い方を図８〜１０を参照しながら説明する。
【００３５】
圧縮収納体２６にセーター類を収納し圧縮するまでの手順は、実施例２記載の使い方と同じである。セーター類を圧縮し終わったら引き出し蓋３７の長手の一辺を溝３０に挿入し、引き出し開口部２８を被覆する。蓋止め具３１で引き出し蓋３７の長手の他辺を箪笥の引き出し２７に固定する。
【００３６】
容器、蓋、セパレーター及び密閉具は他の形状、他の材質、他の異なる形状の材料で形成することができる。筒体及び袋体は他の形状で形成することができる。
【００３７】
【発明の効果】
本発明は、以上説明したような形態で実施され、以下に記載されるような効果を奏する。
【００３８】
変形自在なシートで形成された筒体又は袋体と、形状を保てる容器とを一体化したので、嵩張る物品を詰め込み圧縮することが容易になった。
【００３９】
形状を保てる容器の側壁部から内部の空気を吸出すので圧縮するための減圧がしやすくなった。
【００４０】
減圧に伴い圧縮された物品が、自動的に形状を保てる容器内に収まるので、圧縮した物品を過不足なく効果的に形状を保てる容器に収納することができるようになった。
【００４１】
圧縮された物品がその形状を変えることなく、形状の変化しない容器に収納されており、圧縮した物品の取り扱いがしやすくなったので、家庭内の戸棚などの狭い場所に、圧縮した物品を積み重ねたりして、効率よく収納できるようになり、又出し入れの作業もしやすくなった。
【００４２】
長期間定まった形状を維持できるので、狭い場所への計画的収納がしやすくなった。
【００４３】
【図面の簡単な説明】
【図１】実施例１の圧縮収納箱の斜視図である。
【図２】図１の圧縮収納箱の分解斜視図である。
【図３】図１の圧縮収納箱に使用するセパレーターの斜視図である。
【図４】実施例１の圧縮収納箱で布団が圧縮収納体の中に収納された状態を示す断面図である。
【図５】実施例１の圧縮収納箱に布団を圧縮収納した状態を示す断面図である。
【図６】実施例２の圧縮収納箱の一部縦断側面図である。
【図７】実施例２の圧縮収納箱の分解斜視図である。
【図８】実施例３の圧縮収納箱の分解斜視図である。
【図９】実施例３の圧縮収納箱の斜視図である。
【図１０】実施例３の圧縮収納箱にセーター類が圧縮収納された状態を示す断面図である。
【符号の説明】
１．　箱
２．　箱開口部
３．　蓋
４．　筒体
５．　筒体開口部
６．　物品収納口
７．　空気吸出し口
８．　圧縮収納体
９．　止め具
１０．　止め具受け
１１．　栓
１２．　セパレーター
１３．　板体
１４．　空気流通穴
１５．　スペーサー
１６．　底面部
１７．　ダンボール箱
１８．　開口部
１９．　蓋切片
２０．　袋体
２１．　物品収納口
２２．　空気吸出し口
２３．　栓
２４．　袋板体
２５．　貫通穴
２６．　圧縮収納体
２７．　箪笥の引き出し
２８．　引き出し開口部
２９．　貫通穴
３０．　溝
３１．　蓋止め具
３２．　袋体
３３．　物品収納口
３４．　袋板体
３５．　空気吸出し口
３６．　栓
３７．　引き出し蓋
【図１】
2004123228.tif 000003
【図２】
2004123228.tif 000004
【図３】
2004123228.tif 000005
【図４】
2004123228.tif 000006
【図５】
2004123228.tif 000007
【図６】
2004123228.tif 000008
【図７】
2004123228.tif 000009
【図８】
2004123228.tif 000010
【図９】
2004123228.tif 000011
【図１０】
2004123228.tif 000012